(57)【要約】【課題】正規の情報が表示されていても不正ユーザがその正規情報を容易に入手できないようにした情報処理装置及び情報処理装置の情報表示方法を提供する。【解決手段】正規情報とダミー情報とを混在させて表示手段１０４に表示させる制御手段１１５を備えたことを特徴とする情報処理装置である。正規情報と混在させてダミー情報を表示するから、不正ユーザが正規情報を選択して正規情報にアクセスする危険が低減される。【選択図】  図１
2006139421.tif 000002
【特許請求の範囲】
【請求項１】
正規情報に関連するダミー情報を生成するダミー情報生成手段と、
前記ダミー情報生成手段により生成されたダミー情報を正規情報と混在させて表示手段に表示させる制御手段と、
を備えたことを特徴とする情報処理装置。
【請求項２】
正規情報を検索する検索手段を備え、制御手段は、検索された正規情報にダミー情報を混在させる請求項１に記載の情報処理装置。
【請求項３】
正規情報及びダミー情報はユーザ名である請求項１または２に記載の情報処理装置。
【請求項４】
正規情報及びダミー情報はパスワードである請求項１に記載の情報処理装置。
【請求項５】
正規情報及びダミー情報は文書蓄積手段に蓄積されている文書ファイル名である請求項１に記載の情報処理装置。
【請求項６】
正規情報及びダミー情報は、入力されたジョブの情報である請求項１に記載の情報処理装置。
【請求項７】
制御手段は、入力されたジョブの容量が大きい場合にダミー情報を表示させる請求項６に記載の情報処理装置。
【請求項８】
制御手段は、入力されたジョブのユーザ名に応じてダミー情報を表示させる請求項６に記載の情報処理装置。
【請求項９】
ダミー情報を表示手段に表示させるか否かをユーザが選択可能な選択手段を備えている請求項１または２に記載の情報処理装置。
【請求項１０】
制御手段は、正規情報の数が少ない場合にダミー情報を表示させる請求項１または２に記載の情報処理装置。
【請求項１１】
制御手段は、表示手段に表示されたダミー情報へのアクセス操作に基づいて、自装置の使用を禁止する請求項１または２に記載の情報処理装置。
【請求項１２】
制御手段は、ダミー情報への所定回数のアクセス操作により自装置の使用を禁止する請求項１１に記載の情報処理装置。
【請求項１３】
制御手段は、表示される正規情報のセキュリティレベルに基づいてダミー情報を表示させるか否かを制御する請求項１または２に記載の情報処理装置。
【請求項１４】
正規情報に関連するダミー情報を生成するステップと、
生成されたダミー情報を正規情報と混在させて表示手段に表示させるステップと、
を含む情報処理装置の情報表示方法。
【発明の詳細な説明】
【技術分野】
【０００１】
この発明は、例えばＭＦＰ（Multi Function Periferals)などの画像形成装置やパーソナルコンピュータ（以下、ＰＣという）等の情報処理装置及び情報処理装置の情報表示方法に関する。
【背景技術】
【０００２】
近年のＭＦＰ等の情報処理装置は、ＰＣからのデータを印刷するだけではなく、スキャナによる原稿の読み取りによって紙情報を文書ファイルとして電子情報化しこれを蓄積する機能を有している。また、この電子情報をネットワークを通じてアクセスしたユーザが加工されたり、他のＰＣ等へ転送したりすることが可能になってきている。
【０００３】
これに伴って、ＭＦＰ等のデバイス操作や蓄積されている文書ファイルへのアクセスに対する高セキュリティが求められるようになってきている。このため、近年のＭＦＰなどは、ユーザ認証機能や文章検索機能、ジョブ情報の管理機能等が搭載されるようになってきている。
【０００４】
ところが、例えばユーザ認証機能において、操作性向上のために一部の情報を入力することで、オートフィルタによって関連するユーザ名を表示させてしまう場合があり、不正ユーザが不完全な一部の情報を利用してセキュリティ情報にアクセスできてしまう恐れがあった。
【０００５】
なお、例えば特許文献１には、操作や設定に応じてダミーの画像情報を表示する情報処理装置が提案されている。
【特許文献１】特開２０００−３１２２８４号公報
【発明の開示】
【発明が解決しようとする課題】
【０００６】
ところが、上記特許文献に記載された情報処理装置では、正規の情報とダミーの情報とが同時に表示される構成となっていないので、正規の情報が表示されているときには、セキュリティ上重要な情報が表示されてしまう場合があり、不正ユーザはその情報を入手できる恐れがあり、充分な解決にはならなかった。
【０００７】
この発明は、上記実情に鑑みてなされたものであり、正規の情報が表示されていても不正ユーザがその正規情報を容易に入手できないようにした情報処理装置及び情報処理装置の情報表示方法の提供を課題とする。
【課題を解決するための手段】
【０００８】
上記課題は、以下の手段によって解決される。
（１）正規情報に関連するダミー情報を生成するダミー情報生成手段と、前記ダミー情報生成手段により生成されたダミー情報を正規情報と混在させて表示手段に表示させる制御手段と、を備えたことを特徴とする情報処理装置。
（２）  正規情報を検索する検索手段を備え、制御手段は、検索された正規情報にダミー情報を混在させる前項１に記載の情報処理装置情報処理装置。
（３）正規情報及びダミー情報はユーザ名である前項１または２に記載の情報処理装置。
（４）正規情報及びダミー情報はパスワードである前項１に記載の情報処理装置。
（５）正規情報及びダミー情報は文書蓄積手段に蓄積されている文書ファイル名である前項１に記載の情報処理装置。
（６）正規情報及びダミー情報は、入力されたジョブの情報である前項１に記載の情報処理装置。
（７）制御手段は、入力されたジョブの容量が大きい場合にダミー情報を表示させる前項６に記載の情報処理装置。
（８）制御手段は、入力されたジョブのユーザ名に応じてダミー情報を表示させる前項６に記載の情報処理装置。
（９）ダミー情報を表示手段に表示させるか否かをユーザが選択可能な選択手段を備えている前項１または２に記載の情報処理装置。
（１０）制御手段は、正規情報の数が少ない場合にダミー情報を表示させる前項１または２に記載の情報処理装置。
（１１）制御手段は、表示手段に表示されたダミー情報へのアクセス操作に基づいて、自装置の使用を禁止する前項１または２に記載の情報処理装置。
（１２）制御手段は、ダミー情報への所定回数のアクセス操作により自装置の使用を禁止する前項１１に記載の情報処理装置。
（１３）制御手段は、表示される正規情報のセキュリティレベルに基づいてダミー情報を表示させるか否かを制御する前項１または２に記載の情報処理装置。
（１４）正規情報に関連するダミー情報を生成するステップと、生成されたダミー情報を正規情報と混在させて表示手段に表示させるステップと、を含む情報処理装置の情報表示方法。
【発明の効果】
【０００９】
前項（１）に記載の発明によれば、制御手段は、ダミー情報を正規情報と混在させて表示手段に表示させるから、不正ユーザにとってはどれが正規情報であるか否かを判断することが困難となり、正規情報の入手の危険性を低減することができる。このため、不正ユーザに対するセキュリティの高い情報処理装置となし得る。
【００１０】
前項（２）に記載の発明によれば、検索条件に基づいて検索された正規情報とダミー情報とが混在した状態で表示される。
【００１１】
前項（３）に記載の発明によれば、ユーザ名に関して正規情報とダミー情報が表示される。
【００１２】
前項（４）に記載の発明によれば、パスワードに関して正規情報とダミー情報が表示される。
【００１３】
前項（５）に記載の発明によれば、文書蓄積手段に蓄積されている文書ファイル名に関して、正規情報とダミー情報が表示される。
【００１４】
前項（６）に記載の発明によれば、入力されたジョブの情報に関して、正規情報とダミー情報が表示される。
【００１５】
前項（７）に記載の発明によれば、入力されたジョブの容量が大きい場合にダミー情報が表示されるから、ジョブの容量が大きいジョブに関して正規情報の入手の危険性を低減することができる。
【００１６】
前項（８）に記載の発明によれば、入力されたジョブのユーザ名に応じてダミー情報が表示される。従って、ユーザのセキュリティレベルに応じてダミー情報を表示させることが可能となる。
【００１７】
前項（９）に記載の発明によれば、ダミー情報を表示手段に表示させるか否かをユーザが選択可能な選択手段を備えているから、ダミー情報の表示に関してユーザの意向を反映させることができる。
【００１８】
前項（１０）に記載の発明によれば、正規情報の数が少ない場合にダミー情報が表示されるから、正規情報が少ない場合であっても正規情報の入手の危険性を低減することができる。
【００１９】
前項（１１）に記載の発明によれば、表示手段に表示されたダミー情報へのアクセス操作に基づいて、情報処理装置の使用が禁止されるから、不正ユーザがダミー情報にアクセス操作して情報処理装置を使用するのを防止することができる。
【００２０】
前項（１２）に記載の発明によれば、所定個数のダミー情報へのアクセス操作により情報処理装置の使用が禁止されるから、正規ユーザが間違ってダミー情報にアクセスしたような場合に、直ちに装置を使用できなくなる不都合を防止しつつ、不正ユーザに対しては確実に情報処理装置の使用を禁止することができる。
【００２１】
前項（１３）に記載の発明によれば、表示される正規情報のセキュリティレベルに基づいてダミー情報を表示させるか否かが制御されるから、セキュリティレベルが低い場合にはダミー情報を表示させず、セキュリティレベルが高い場合にダミー情報を表示させることが可能になり、不正ユーザのアクセス防止に対して効率的な処理を行わせることができる。
【００２２】
前項（１４）に記載の発明によれば、ダミー情報を正規情報と混在させて表示手段に表示させるから、不正ユーザにとってはどれが正規情報であるか否かを判断することが困難となり、正規情報の入手の危険性を低減することができる。
【発明を実施するための最良の形態】
【００２３】
以下、この発明の一実施形態を図面に基づいて説明する。
【００２４】
図１は、この発明の一実施形態に係る情報処理装置が用いられた情報処理システムの機能的な構成を示すブロック図である。
【００２５】
図１において、１は情報処理装置であり、この実施形態ではＭＦＰ等の画像形成装置からなる。２はＰＣ等からなるユーザ端末であり、これらの情報処理装置１とユーザ端末２とは、ネットワーク３を介して相互に通信可能に接続されている。
【００２６】
前記情報処理装置１は、ネットワーク通信部１０１、操作部１０２、操作制御部１０３、表示部１０４、表示情報管理部１０５、ユーザ情報管理部１０６、文書情報管理部１０７、ジョブ情報管理部１０８、検索エンジン部１０９、ダミー情報生成部１１０、セキュリティレベル管理部１１１、スキャナ部１１２、プリンタ部１１３、ファクシミリ（以下ＦＡＸという）送受信部１１４、全体制御部１１５等を備えている。
【００２７】
前記ネットワーク通信部１０１は、ネットワーク３を介してユーザ端末２との間で画像データなどの各種データの送受信を行うネットワークインターフェースとして機能する。
【００２８】
前記操作部１０２は、モード設定キー、スタートボタン、テンキー等の各種入力キーやタッチパネルキー等を有しており、ＭＦＰ１の使用時やモード設定時などに、操作されるものである。タッチパネルキーには、所定の場合に表示切替ボタン１０２ａが表示されるようになっている。この表示切替ボタン１０２ａは、ユーザが表示部１０４に表示されたユーザ名の中から正規のユーザ名を選択したときに表示され、ダミー情報を表示するかしないかをユーザが選択するためのものである。これについては後述する。
【００２９】
前記操作制御部１０３は、ネットワーク通信部１０１を介してユーザ端末２から送信されてきたユーザによる操作指示や、あるいは操作部１０２から入力されたユーザによる操作指示を受け付けるとともに、操作指示の内容に応じた制御処理を行う。
【００３０】
前記表示部１０４は、液晶表示装置などからなり、ユーザ名や文書ファイル名等、各種のデータを表示する。なお、この表示部１０４をタッチパネル式として、操作部１０２の一部を表示部１０４に設ける構成としても良い。
【００３１】
前記表示情報管理部１０５は、前記表示部１０４に表示させる表示情報を作成するとともに表示内容を管理する。
【００３２】
前記ユーザ情報管理部１０６は、ユーザ名とパスワードとを関連付けて登録管理する他、ユーザ毎の装置使用状況やその他のユーザ情報を管理するものである。
【００３３】
前記文書情報管理部１０７は、スキャナ部１１２で読み取られた原稿の画像データや、ユーザ端末２等の外部機器からネットワーク３を介して送信されてきた文書データを、文書ファイルとして蓄積するものである。
【００３４】
前記ジョブ情報管理部１０８はユーザによって入力されたジョブについての情報を管理するものである。この実施形態では、ジョブとしては、原稿をスキャナ部１１２で読み取ってプリンタ部１１３で出力するコピージョブ、前記文書情報管理部１０７に管理されている文書ファィルや外部機器から送信されてきた文書データ等をプリンタ部１１３で出力するプリントジョブ、あるいはスキャナ部１１２で読み取った原稿の画像データや文書情報管理部１０７に管理されている文書ファィルを、ＦＡＸ送受信部１１４から送信したりネットワーク通信部１０１を介して所定の宛先に送信するスキャンジョブ等が可能となっている。
【００３５】
前記検索エンジン部１０９は、ユーザの操作指示等により各種の検索を行うものであり、ユーザ名、パスワード、文書ファイル、ジョブ情報等を検索可能である。例えば、ユーザが装置の使用に際して、ユーザ情報管理部１０６に登録されているユーザ名を一覧表示させ、表示されたユーザ名の中から自己のユーザ名を選択して入力する場合に、自己の氏名のうち姓のみを入力することで、検索エンジン部１０９は該当する姓を有するフルネームのユーザ名を検索する。
【００３６】
前記ダミー情報生成部１１０は、検索エンジン部１０９による検索結果を正規情報として表示部１０４に表示する場合に、一定の場合にはダミー情報を生成するものである。そして、生成されたダミー情報は、表示管理部１０５の制御に基づいて正規情報とダミー情報とが混合された状態で表示部１０４に表示されるものとなされている。
【００３７】
前記セキュリティレベル管理部１１１は、検索エンジン部１０９が検索した結果情報である正規情報の数が少ない場合や、検索された正規情報のセキュリティレベルに応じて、ダミー情報生成部１１０にダミー情報を生成させるものである。
【００３８】
前記スキャナ部１１２は、原稿を読み取って画像データに変換するものであり、前記プリンタ部１１３は前記スキャナ部１１２で読み取った画像データやユーザ端末２から送信されてきたプリントデータ、さらには文書情報管理部１０７に蓄積されている文書ファイル等をプリントするものである。また、前記ＦＡＸ送受信部１１４は、スキャナ部１１２で読み取った画像データや文書情報管理部１０７に蓄積されている文書ファイル等を電話回線を通じて送信したり、外部装置から電話回線を通じて送信されてきた画像データ等を受信するものである。
【００３９】
前記全体制御部１１５は、情報処理装置の全体を統括的に制御する。従って、情報処理装置の各部は、全体制御部１１５の指示に基づいて動作する。
【００４０】
次に、図１に示した情報処理装置１の動作を、図２のフローチャートを参照して説明する。この例では、ユーザが情報処理装置１の使用に際して、ユーザ情報管理部１０６に登録されているユーザ名を一覧表示させ、表示されたユーザ名の中から自己のユーザ名を選択して入力する場合を説明する。なお、以下の説明において、ステップを「Ｓ」と略記する。
【００４１】
ユーザは自己の氏名の一部例えば姓を操作部１０２により入力する。情報処理装置１では、Ｓ１で、全体制御部１１５が操作制御部１０３を介してユーザ名の一部が入力されたか否かを判断する。入力されると（Ｓ１の判断がＹＥＳ）、Ｓ２で、全体制御部１１５の指示に基づき、検索エンジン部１０９はユーザ情報管理部１０６に登録されているユーザ名の中から、入力された姓を有するユーザ名（フルネーム）を検索する。
【００４２】
次にＳ３で、セキュリティレベル管理部１１１は、検索されたユーザ名（正規情報）の数が予め設定された数値であるｎ個より多いか否かを判断する。多い場合には（Ｓ３の判断がＹＥＳ）、Ｓ４に進み、表示情報管理部１０５は、検索された正規情報のみを表示情報として作成し、ダミー情報は表示しない。これは、例えばユーザの姓のみを知っている他の不正ユーザが、本人になりすましてアクセスしようとしても、名前を知らなければ多数のユーザ名の中から正しいユーザ名を選択することは容易でないと考えられるからである。
【００４３】
一方、検索されたユーザ名（正規情報）の数がｎ個より多くない場合には（Ｓ３の判断がＮＯ）、不正ユーザが正規ユーザの名前を知らなくても正規ユーザの選択可能性が高まることから、Ｓ５に進んで全体制御部１１５はダミー情報生成部１１０にダミー情報を生成させる。そして、Ｓ６で、表示情報管理部１０５は生成されたダミー情報と正規情報とを混在させて表示情報を作成する。
【００４４】
次いで、Ｓ７で、表示情報管理部１０５は作成した表示情報を表示部１０４に表示させる。
【００４５】
例えばユーザの姓が「ＮＡＫＡＭＵＲＡ」である場合、表示部１０４には図３に示すように、「ＮＡＫＡＭＵＲＡ」を有するすべてのユーザ名がフルネームで表示される。図３では、「ＮＡＫＡＭＵＲＡ  ＴＡＲＯ」のユーザ名２００が唯一の正規情報であり、他のユーザ名がダミー情報である場合を示している。
【００４６】
このように、検索されたユーザ名が少ない場合にダミー情報を混在させることで、不正ユーザによる正規ユーザ名の特定の困難性を増大させ、これにより不正使用の危険性を低減している。また、正規ユーザであれば、ダミー情報が混在していたとしても正しいユーザ名を選択できるので、何ら問題はない。
【００４７】
図２に戻って、Ｓ８で、全体制御部１１５は、操作制御部１０３を介して表示されたユーザ名の中からいずれかのユーザ名が選択されたか否かを判断する。選択されなければ（Ｓ８の判断がＮＯ）、選択されるまで待つ。選択されると（Ｓ８の判断がＹＥＳ）、Ｓ９で、正規のユーザ名が選択されたか否かを判断する。
【００４８】
正規のユーザ名が選択されている場合には（Ｓ９の判断がＹＥＳ）、Ｓ１０でそのユーザに対して使用を許可した後、Ｓ１１で、操作部１０２のタッチパネル等に表示された表示切替ボタン１０２ａを押す旨のメッセージを表示部１０４に表示する。
【００４９】
次いで、Ｓ１２で表示切替ボタン１０２ａが押されたか否かを判断する。押されると（Ｓ１２の判断がＹＥＳ）、Ｓ１３で、以後の操作、例えばジョブを検索して該当するジョブ名を表示させるような場合に、正規情報のみを表示させる設定としたのち、処理を終了する。表示切替ボタン１０２ａが押されない場合には（Ｓ１２の判断がＮＯ）、Ｓ１４で、以後の操作においても該当する場合にはダミー情報を表示させる設定とした後、処理を終了する。
【００５０】
また、Ｓ１０において、正規ユーザ名が選択されなかった場合には（Ｓ１０の判断がＮＯ）、Ｓ１５に進み、ユーザ名の選択操作回数が予め設定されたｍ回を超えたか否かを判断する。ｍ回を超えた場合には（Ｓ１５の判断がＹＥＳ）、Ｓ１６で、全体制御部１１５は操作制御部１０３を介して以後の操作を禁止させる。つまり使用禁止とする。これにより、不正ユーザに対して情報処理装置１の使用が禁止され、不正アクセスが防止される。
【００５１】
Ｓ１５において、ユーザ名の選択操作回数がｍ回を超えていなければ（Ｓ１５の判断がＮＯ）、Ｓ１７でユーザ名を再度選択する旨のメッセージを表示部１０４に表示したのち、Ｓ８に戻り、ユーザ名が選択されるのを待つ。
【００５２】
図４はこの発明の他の実施形態に係る情報処理装置の動作を示すフローチャートである。この実施形態では検索されたユーザ名のセキュリティレベルに応じたダミー情報を作成するものである。
【００５３】
ユーザは自己の氏名の一部例えば姓を操作部１０２により入力する。情報処理装置１では、Ｓ２１で、全体制御部１１５が操作制御部１０３を介してユーザ名の一部が入力されたか否かを判断する。入力されると（Ｓ２１の判断がＹＥＳ）、Ｓ２２で、全体制御部１１５の指示に基づき、検索エンジン部１０９はユーザ情報管理部１０６に登録されているユーザ名の中から、入力された姓を有するユーザ名（フルネーム）を検索する。
【００５４】
次にＳ２３で、セキュリティレベル管理部１１１は、検索されたユーザ名（正規情報）に応じたセキュリティレベルを判断し、ダミー情報生成部１１０は前記セキュリティレベルに応じたダミー情報を生成する。
【００５５】
例えば、検索されたユーザ名に役職者等のセキュリティレベルが高いユーザ名が含まれている場合には、ダミー情報を多く生成するとか、特定グループのユーザ名についてはセキュリティレベルを高く設定してダミー情報を多く生成する場合が考えられる。なお、ユーザ名とセキュリティレベルとの関連は、予めユーザ情報管理部１０６に記憶させておき、セキュリティレベル管理部１１１がその関連情報を読み取って判断しても良いし、セキュリティレベル管理部１１１側で管理しても良い。なお、セキュリティレベルが低い場合には、ダミー情報を表示しない場合もある。
【００５６】
そして、Ｓ２４で、表示情報管理部１０５は生成されたダミー情報と正規情報とを混在させて表示情報を作成したのち、Ｓ２５で、表示情報管理部１０５は作成した表示情報を表示部１０４に表示させる。
【００５７】
なお、Ｓ２６〜Ｓ３５は図２におけるＳ８〜Ｓ１７と同じであるので、説明を省略する。
【００５８】
この実施形態では、検索されたユーザ名（正規情報）に応じたセキュリティレベルに基づいてダミー情報が生成されるから、セキュリティレベルの高いユーザ名に不正ユーザがアクセスして情報を不正入手する危険性を低減できる。
【００５９】
図５はこの発明のさらに他の実施形態を示すものである。この実施形態は、ジョブを検索する場合の例である。
【００６０】
ユーザはジョブ名を操作部１０２により入力する。ジョブ名は全部が入力されても良いし、一部のみの入力であってもよい。情報処理装置１では、Ｓ４１で、全体制御部１１５が操作制御部１０３を介してジョブ名が入力されたか否かを判断する。入力されると（Ｓ４１の判断がＹＥＳ）、Ｓ４２で、全体制御部１１５の指示に基づき、検索エンジン部１０９はジョブ情報管理部１０８にジョブ履歴として登録されているジョブの中から、入力された名称を有するジョブを検索する。
【００６１】
次にＳ４３で、セキュリティレベル管理部１１１は、全体制御部１１５の指示に基づいて、検索されたジョブ（正規情報）を発行したユーザ名に応じたセキュリティレベルを判断し、ダミー情報生成部１１０は前記セキュリティレベルに応じたダミー情報を生成する。
【００６２】
例えば、検索されたジョブの発行者のセキュリティレベルが高い場合には、発行したジョブも機密性が高いと考えられることから、ダミーのジョブ名を生成する。セキュリティレベルに応じて、ダミー情報の数を変更しても良い。セキュリティレベルが低い場合には、ダミー情報を生成しない場合もありうる。
【００６３】
そして、Ｓ４４で、表示情報管理部１０５は生成されたダミー情報と正規情報とを混在させて表示情報を作成したのち、Ｓ４５で、表示情報管理部１０５は作成した表示情報を表示部１０４に表示させる。
【００６４】
この実施形態では、検索されたジョブ名（正規情報）のジョブを発行したユーザ名のセキュリティレベルに基づいてダミー情報が生成されるから、セキュリティレベルの高いユーザが発行したジョブに不正ユーザがアクセスして情報を不正入手する危険性を低減できる。
【００６５】
図６はこの発明のさらに他の実施形態を示すものである。この実施形態も図６に示したものと同様に、ジョブを検索する場合の例である。
【００６６】
ユーザはジョブ名を操作部１０２により入力する。ジョブ名は全部が入力されても良いし、一部のみの入力であってもよい。情報処理装置１では、Ｓ５１で、全体制御部１１５が操作制御部１０３を介してジョブ名が入力されたか否かを判断する。入力されると（Ｓ５１の判断がＹＥＳ）、Ｓ５２で、全体制御部１１５の指示に基づき、検索エンジン部１０９はジョブ情報管理部１０８にジョブ履歴として登録されているジョブの中から、入力された名称を有するジョブを検索する。
【００６７】
次にＳ５３で、セキュリティレベル管理部１１１は、全体制御部１１５の指示に基づいて、検索されたジョブ（正規情報）の容量が所定値を超えているか否かを判断する。所定値を超えている場合には（Ｓ５３の判断がＹＥＳ）、そのジョブに含まれる情報量が多いことから、Ｓ５４で、ダミー情報生成部１１０はダミー情報を生成し、Ｓ５５で表示情報管理部１０５は正規情報とダミー情報とを混在させて表示情報を作成したのち、Ｓ５７に進む。
【００６８】
一方、ジョブの容量が所定値を超えない場合には（Ｓ５３の判断がＮＯ）、ジョブに含まれる情報量が少なく不正アクセスされても影響は警備であることから、Ｓ５６で表示情報管理部１０５は正規情報のみを表示情報として作成した後、Ｓ５７に進む。
【００６９】
そして、作成した表示情報がＳ５７で表示部１０４により表示される。
【００７０】
この実施形態では、検索されたジョブ名（正規情報）のジョブの容量値が多い場合にはダミー情報が生成されるから、機密性の高いジョブに不正ユーザがアクセスして情報を不正入手する危険性を低減できる。
【００７１】
なお、ジョブの容量値に応じて、生成するダミー情報の数を変化させても良い。
【００７２】
以上、本発明の一実施形態を説明したが、本発明は上記実施形態に限定されることはない。例えば、ユーザ名やジョブ名を検索する場合にダミー情報を生成する場合を示したが、ユーザのパスワードや文書情報管理部１０７に蓄積されている文書ファイルを検索する場合に本発明を適用しても良い。
【００７３】
また、検索結果だけでなく、処理中のジョブについてもユーザ名等に対してダミー情報を生成し表示させるようにしても良い。この場合、操作部１０２から入力されたユーザ名に従ってセキュリティレベル管理部１１１が全体制御部１１５の指示に基づいて、ユーザ情報管理部１０６に問い合わせて正規ユーザであることを確認し、セキュリティレベル情報をダミー情報生成部１１０に渡して所定のダミー情報を生成させ、表示情報管理部１０５がダミー情報と正規情報とを混在させて表示情報を作成し、表示部１０４がこれを表示すればよい。
【００７４】
また、ユーザ名の入力がなくても、所定のダミー情報を常に表示させるようにしても良い。
【００７５】
また、上記実施形態では、情報処理装置１の操作部１０２からユーザ名等を入力するものとしたが、ユーザ端末２から入力操作を行い、ユーザ端末の表示画面に正規情報とダミー情報とを混在して表示させるものとしても良い。
【図面の簡単な説明】
【００７６】
【図１】この発明の一実施形態に係る情報処理装置を用いた情報処理システムを示すブロック図である。
【図２】図１に用いられている情報処理装置の動作を示すフローチャートである。
【図３】正規情報とダミー情報とを混在させたときの表示部の表示画面を示す図である。
【図４】この発明の他の実施形態に係る情報処理装置の動作を示すフローチャートである。
【図５】この発明のさらに他の実施形態に係る情報処理装置の動作を示すフローチャートである。
【図６】この発明のさらに他の実施形態に係る情報処理装置の動作を示すフローチャートである。
【符号の説明】
【００７７】
１          情報処理装置
２          ユーザ端末
１０２      操作部
１０３      操作制御部
１０４      表示部
１０５      表示情報管理部
１０６      ユーザ情報管理部
１０７      文書情報管理部
１０８      ジョブ情報管理部
１０９      検索エンジン部
１１０      ダミー情報生成部
１１１      セキュリティレベル管理部
１１５      全体制御部
【図１】
2006139421.tif 000003
【図２】
2006139421.tif 000004
【図３】
2006139421.tif 000005
【図４】
2006139421.tif 000006
【図５】
2006139421.tif 000007
【図６】
2006139421.tif 000008